(57)【要約】【課題】本発明は、水平状とされた天井面などのみならず、傾斜面状とされた天井面などにも容易に取付け、常に広告体を吊設する吊下げ軸を垂直回りに確実に回転作動せしめることが出来る、吊下げ広告用回転装置を提供するものである。【解決手段】所要の本体ケ−ス２にモ−タ３が内設され、該本体ケ−ス２の下端にはモ−タ３により回転自在とされた広告体吊下げ用の吊下げ軸５が下方突出状に垂設されると共に、同本体ケ−ス２の上端には強磁性被着体１５に磁着自在とされた磁石体１３が配設されてなる吊下げ広告用回転装置１であって、上記磁石体１３は本体ケ−ス２の上端に架設された弯曲状の取付け部材１１に装着されると共に、該取付け部材１１の弯曲方向に向けて形成されたガイド孔１２に沿って可動自在とされている。【選択図】図１
2012027289.tif 000002
【特許請求の範囲】
【請求項１】
所要の本体ケ−スにモ−タが内設され、該本体ケ−スの下端にはモ−タにより回転自在
とされた広告体吊下げ用の吊下げ軸が下方突出状に垂設されると共に、同本体ケ−スの上
端には強磁性被着体に磁着自在とされた磁石体が配設されてなる吊下げ広告用回転装置で
あって、上記磁石体は本体ケ−スの上端に架設された弯曲状の取付け部材に装着されると
共に、該取付け部材の弯曲方向に向けて形成されたガイド孔に沿って可動自在とされてな
ることを特徴とする、吊下げ広告用回転装置。 
【請求項２】
上記吊下げ軸は可撓自在に形成されると共に、その下端には強磁性部材付き広告体を磁
着して吊設せしめるべく磁石体が取付けられてなることを特徴とする、請求項１記載の吊
下げ広告用回転装置。
【発明の詳細な説明】
【技術分野】
【０００１】
本発明は、吊下げ広告用回転装置に関し、さらに詳細には、店舗や展示場の天井などに
垂下状に磁着せしめつつ、所要の吊下げ広告体を回転作動せしめる、吊下げ広告用回転装
置に関する。
【背景技術】
【０００２】
従来より、店舗や展示場などにおいては、天井より所要の広告体を吊下げ、室内への入
場者が多い場合においても常に広告内容を認識せしめることが出来るものとされている。
【０００３】
ところで、従来の広告体は、単に上端部を所要の吊具を介して完全に固定せしめたり、
あるいは、紐などにより揺動自在に吊設せしめたものが知られているが、見る方向によっ
ては広告体自体を視認せしめてもその広告内容を充分に認識せしめることが出来ないおそ
れがあり、ひいては、客の目を引き難く、満足すべき広告宣伝効果が期待しずらいものと
なっていた。
【０００４】
かかる従来の問題点を解決するものとして、例えば、特開平７−２８１６２２号公報に
は、所要の本体ケ−スにソ−ラ−パネルでもって駆動自在とされたモ−タが内設され、該
本体ケ−スの下端にはモ−タにより回転自在とされた吊下げ軸が下方突出状に垂設される
と共に、同本体ケ−スの上端には蛍光灯用吊バンドが取付けられた基本構成を有する、吊
下げ広告用回転装置が提案されている。  
そして、上述の如く構成された吊下げ広告用回転装置は、店舗や展示場などの天井に取
付けられた蛍光灯に吊りバンドを介して吊設せしめると共に、吊下げ軸を介して所要の広
告体を吊設せしめつつ、ソ−ラ−パネルの電力によりモ−タを駆動せしめつつ吊下げ軸を
介して広告体を所定方向に回転作動せしめるものとされている。  
【０００５】
また、実用新案登録第３０７３５０６号公報には、所要の天井に嵌設自在とされた本体
ケ−スに外部電源でもって駆動自在なモ−タが内設されると共に、該本体ケ−スの下端に
はモ−タにより回転自在とされた吊下げ軸が下方突出状に垂設された基本構成を有する、
吊下げ広告用回転装置が提案されている。
そして、上述の如く構成された吊下げ広告用回転装置は、所要の天井に本体ケ−スを嵌
設せしめると共に吊下げ軸を介して広告体を吊設せしめつつ、外部電源によりモ−タを駆
動せしめつつ吊下げ軸を介して広告体を所定方向に回転作動せしめるものとされている。
【先行技術文献】
【特許文献】
【０００６】
【特許文献１】特開平７−２８１６２２号公報
【特許文献２】実用新案登録第３０７３５０６号公報
【発明の概要】
【発明が解決しようとする課題】
【０００７】
ところで、上述の如く構成された特開平７−２８１６２２号公報などの従来例は、吊下
げ軸を介して所要の広告体を吊設せしめつつ、所定方向に回転作動せしめることが出来る
ものであって、ひいては、あらゆる角度から広告体を視認せしめ、その広告内容を認識せ
しめて広告宣伝効果を有効に発揮せしめることが出来るものである。
【０００８】
しかしながら、上記特開平７−２８１６２２号公報記載の吊下げ広告用回転装置は、天
井などに配設された蛍光灯に吊バンドを介して吊設せしめるものであるから、その吊設保
持が不十分となりやすいものである。また、蛍光灯が天井などに水平配設されている場合
においてはともかく、傾斜状に配設されている場合には吊設不能となりやすいものである
。
【０００９】
また、実用新案登録第３０７３５０６号公報記載の吊下げ広告用回転装置は、本体ケ−スを所要の天井に嵌合口部を形成して嵌設せしめるものであるから、その取付け作業が非常に面倒で手間がかかり、極めて作業能率の悪いものとなっている。また、広告体を吊設する吊下げ軸は垂直回りに回転せしめる必要があるため、本体ケ−スは必然的に水平状とされた天井面の設置にのみ限定されるものとなり、傾斜状の天井面には適用することが出来ないものである。
【００１０】
本発明は上記従来例の課題を解決し、水平状とされた天井面などのみならず、傾斜面状
とされた天井面などにも容易に取付け、常に広告体を吊設する吊下げ軸を垂直回りに確実
に回転作動せしめることが出来る、吊下げ広告用回転装置を提供しようとするものである
。
【課題を解決するための手段】
【００１１】
上記の目的を達成するため、本発明の請求項１記載の発明は、所要の本体ケ−スにモ−タが内設され、該本体ケ−スの下端にはモ−タにより回転自在とされた広告体吊下げ用の吊下げ軸が下方突出状に垂設されると共に、同本体ケ−スの上端には強磁性被着体に磁着自在とされた磁石体が配設されてなる吊下げ広告用回転装置であって、上記磁石体は本体ケ−スの上端に架設された弯曲状の取付け部材に装着されると共に、該取付け部材の弯曲方向に向けて形成されたガイド孔に沿って可動自在とされてなることを特徴とする、吊下げ広告用回転装置を要旨とするものである。
【００１２】
本発明の請求項２記載の発明は、吊下げ軸は可撓自在に形成されると共に、その下端には強磁性部材付き広告体を磁着して吊設せしめるべく磁石体が取付けられてなることを特徴とする、請求項１記載の吊下げ広告用回転装置を要旨とするものである。
【発明の効果】
【００１３】
請求項１記載の発明は上述のように構成されているから、磁石体を適宜弯曲状取付け部
材のガイド孔に沿って弯曲方向に可動せしめつつ、天井面などの強磁性被着体に適正に磁
着せしめることが出来るものであって、常に被着体への取付けを迅速、かつ確実に能率よ
く行なうことが出来るのみならず、水平面状とされた被着体のみならず、傾斜面状とされた被着体にも常に垂下状に確実に取付け、吊下げ軸に吊設すべき広告体を適正に回転作動せしめて広告宣伝効果を有効に発揮せしめることが出来るものである。  
【００１４】
請求項２記載の発明は上述のように構成されているから、吊下げ軸に広告体を磁着して
容易に吊設することが出来るのみならず、モ−タの駆動により回転作動する可撓性の吊下
げ軸を介して吊設広告体に遠心力を作用せしめ、広告体を次第に傾斜状に変動せしめて広
告宣伝効果を一層高めることが出来るものである。
【図面の簡単な説明】
【００１５】
【図１】本発明の一実施例を示す斜視図である。
【図２】本発明の一実施例を示す一部を破砕した正面図である。
【図３】本発明の一実施例を示す一部を破砕した側面図である。
【図４】実施例の使用状態を示す正面図である。
【発明を実施するための形態】
【００１６】
以下に、本発明を実施するための形態を図面に示す一実施例に基づいて説明する。  
【００１７】
図１〜図４は本発明の一実施例に係る吊下げ広告用回転装置１を示すもので、２は該吊
下げ広告用回転装置１を構成する方形体状の本体ケ−ス、３は該本体ケ−ス２内に方形体
状の取付けフレ−ム４を介して内設されたモ−タ、５は該モ−タ３に歯車機構６を介して
接続された吊下げ軸で、該吊下げ軸５は本体ケ−ス２の下端に下方突出状に垂設されると
共に、その下方突出部７はコイルバネ材などにより可撓自在に形成されている。８は後記
する強磁性部材１７付き広告体１６を磁着して吊設せしめるべく該吊下げ軸５の下方突出
部７下端に固着された円形状の磁石体である。９は上記本体ケ−ス２の上端部に取付けら
れた偏平な方形体状のソ−ラ−パネル用収容ケ−ス、１０は該収容ケ−ス９に収容された
ソ−ラ−パネルで、該ソ−ラ−パネル１０は上記モ−タ３に接続されている。１１は上記
収容ケ−ス９上に架設された弯曲帯状の取付け部材、１２は該取付け部材１１の弯曲方向
に沿って形成された所要の幅と長さを有するガイド孔、１３は後記する強磁性被着体１５
に磁着せしめるべく該ガイド孔１２にガイドピン１４を介して取付けられた円形状の磁石
体で、該磁石体１３はガイド孔１２にガイドせしめつつ取付け部材１１の弯曲方向に向け
て可動自在とされている。その他、１５は店舗や展示場の天井などにおけるマグネットシ
−トやスチ−ル製の強磁性被着体、１６は吊下げ軸５の磁石体８に磁着して吊設せしめる
べく強磁性部材１７を付設せしめた略飛行船状の広告体である。
【００１８】
次に、上述の如く構成された吊下げ広告用回転装置１の作動について説明する。
先ず、店舗や展示場の天井などにおける水平状の強磁性被着体１５に取付けるさいには
、図４に図示するように、磁石体１３をガイド孔１２に沿って可動せしめつつ取付け部材
１１の頂部位に位置せしめ、被着体１５に磁着して垂下状に取付けると共に、吊下げ軸５
の磁石体８に広告体１６の強磁性部材１７を磁着せしめ、吊下げ軸５に広告体１６を垂下
状に吊設せしめる。このさい、吊下げ広告用回転装置１は、磁石体１３を介して強磁性被
着体１５に磁着せしめて取付け、また、吊下げ軸５に磁石体８を介して強磁性部材１７付
き広告体１６を磁着して吊設せしめるものであるから、その作業を容易に能率よく行なう
ことが出来るものである。
そして、吊下げ広告用回転装置１の取付けが完了すると共に、広告体１６の吊設が完了
すると、ソ−ラ−パネル１０の電力でもってモ−タ３を駆動せしめつつ、吊下げ軸５を回
転作動せしめ、吊設する広告体１６を所定方向に回転せしめる。このさい、吊下げ軸５の
下方突出部７は可撓自在とされているから、吊下げ軸５の回転作動により吊設する広告体
１６に遠心力を作用せしめ、吊設広告体を次第に傾斜状に変動せしめて広告宣伝効果を一層高めることが出来るものである。
【００１９】
また、店舗や展示場の天井などにおける強磁性被着体１５が図４に図示するように、右
傾状に、あるいは左傾状に傾斜している場合には、磁石体１３をガイド孔１２に沿って可
動せしめつつ被着体１５の傾斜面に合致せしめて磁着せしめるとよい。このさい、吊下げ
広告用回転装置１は磁石体１３を可動して被着体１５の傾斜面に合致せしめつつ磁着せし
めるものであるから、被着体１５の傾斜の有無を問わず常に垂下状に取付け、吊設する広
告体１６を適正に回転作動せしめることが出来るものである。
【００２０】
なお、上記実施例において、吊下げ広告用回転装置１は、店舗や展示場の天井における
強磁性被着体１５に取付けるものとされているが、これに限定されるものでなく、屋外な
ど他の個所における強磁性被着体１５に取付けて使用に供してもよいものである。また、
モ−タ３の電源としてソ−ラ−パネル１０が示されているが、これに限定されるものでな
く、電池や外部電源を採用してもよいものである。
【符号の説明】
【００２１】
１    吊下げ広告用回転装置
２    本体ケ−ス
３    モ−タ
５    吊下げ軸
８    磁石体
１１  取付け部材
１２  ガイド孔
１３  磁石体
１５  強磁性被着体
１６  広告体
１７  強磁性部材
【図１】
2012027289.tif 000003
【図２】
2012027289.tif 000004
【図３】
2012027289.tif 000005
【図４】
2012027289.tif 000006